(57)【特許請求の範囲】
【請求項１】
曲の再生中に次の曲の先頭からの再生への移行を指示するトラックアップキーと、曲の再生中に該曲の再生開始時点から基準時間以内に操作された場合には前の曲の先頭位置からの再生への移行を指示し、前記基準時間を過ぎて操作された場合には該曲の先頭位置からの再生への移行を指示するトラックダウンキーとを備え、
曲の再生中に前記トラックアップキーが操作された場合に次の曲の先頭位置からの再生へ移行し、
前回のトラックアップキー操作またはトラックダウンキー操作から所定時間を過ぎた場合に前記基準時間を第１基準時間に設定し、前回のトラックアップキー操作またはトラックダウンキー操作から所定時間以内は前記基準時間を第２基準時間に設定し、
曲の再生開始時点から前記設定された基準時間以内にトラックダウンキーが操作された場合には前の曲の先頭位置からの再生へ移行し、前記設定された基準時間を過ぎて操作された場合には該曲の先頭位置からの再生へ移行することを特徴とするディスク再生装置の再生制御方法。
【請求項２】
前記第２基準時間は、前記第１基準時間より大きいことを特徴とする請求項１記載のディスク再生装置の再生制御方法。
【請求項３】
一曲目の再生中において、一曲目の再生開始時点から前記設定された基準時間以内にトラックダウンキーが操作された場合には、最終曲の先頭位置からの再生へ移行することを特徴とする請求項１または請求項２記載のディスク再生装置の再生制御方法。
【発明の詳細な説明】
【０００１】
【発明の属する技術分野】
本発明は、ディスク再生装置に係り、特に、トラックアップキーおよびトラックダウンキーを操作して、再生するトラックを順次切り替えて選択するディスク再生装置に関する。
【０００２】
【従来の技術】
従来、ＣＤプレーヤやＭＤプレーヤなどのディスク再生装置では、ディスクに収録されている複数の曲（トラック）の中から、操作部に設けられたトラックアップキー／トラックダウンキーを押下することにより、再生するトラックを順次切り替えて選択することが可能である。
【０００３】
トラックアップキーが押された場合、ディスク再生位置を現在再生中のトラックの次のトラックの先頭位置に移動し、また、トラックダウンキーが押された場合、現在再生中のトラックの再生時間に応じて、現在トラックの再生時間が所定時間より小さい時には一つ前のトラックの先頭にディスク再生位置を移動し、現在のトラックの再生時間が所定時間より大きい時には、現在のトラックの先頭にディスク再生位置を移動するようにしている。
【０００４】
つまり、現在のトラックの経過時間が所定時間（例えば１秒）より小さいときにトラックダウンキーが押されたら、一つ前のトラックの先頭位置に戻って再生し、現在のトラックの経過時間が所定時間（１秒）より大きいときにトラックダウンキーが押されたら、現在のトラックの先頭位置に戻って再生するようになっている。
【０００５】
また、ディスクの最終トラックで、トラックアップキーが押された場合には、ディスクの最初のトラックの先頭に再生位置を移動したり、ディスクの最初のトラックでトラック先頭から所定時間内にトラックダウンキーが押された場合には、ディスクの最終トラックの先頭に再生位置を移動するようにしているものもある。
【０００６】
【発明が解決しようとする課題】
ところで、従来のＣＤプレーヤ等のディスク再生装置では、トラックアップキー／トラックダウンキーを操作してディスクに記録されている複数のトラックから所望のトラックを選択する場合、予め所望の曲がディスクの何番目のトラックであるかを知っている場合には、現在のトラックから所望のトラックまでのトラック数の回数のキー入力を行えばよい。
【０００７】
しかし、所望の曲のトラックナンバーを明確に憶えていない場合、例えば、所望の曲はディスクの１０曲目あたりに収録されていたというぐらいの記憶から曲を探す場合には、トラックアップキーまたはトラックダウンキーを操作して、１０曲目（トラック１０）まで、順次トラックを切り替えて再生させてみる。再生音を聞いて、所望としていた曲であるか判断し、所望の曲でない場合には、再びトラックアップキー、トラックダウンキーを操作して、トラックを切り替えて音を聞いて判断し再生するトラックを選択している。
【０００８】
所望の曲と思われるトラックまで連続でトラックアップを行い、そのトラックを再生して聴いてみる。再生音を聴いて、このトラックではないと判断した場合、例えば、所望の曲はこのトラックより前のトラックであることを思い出した場合、トラックダウンキーを押下して前のトラックへ切り替えようとする。しかし、従来、再生開始後に所定時間（１秒）経過してからトラックダウンキーを押すと、そのトラックの先頭に戻ってしまうため、前のトラックに戻るためには２回のトラックダウンキー操作をしなければならず、面倒であった。
【０００９】
そこで、トラックダウンキーを押したときに、そのトラックの先頭へ戻るようにするトラック開始後の時間を１秒ではなく、音を聴いてから曲の判断できる程度の時間（例えば５秒）にすれば、１回のトラックダウンキー操作で、前のトラックへ移動できる。しかし、トラック再生開始から５秒以内のトラックダウンキー操作で前のトラックへ移動するようにすると、今度は、通常のディスクの収録曲を続けて再生している場合、再生トラックが切り替わり、新たなトラックの再生がされてから５秒以内にこの曲の始めから聴き直したいと思い、トラックダウンキーを操作すると、そのトラックの先頭ではなく、そのトラックの前のトラックの先頭に戻ってしまい不便である。
【００１０】
以上から、本発明の目的は、トラックアップ操作、トラックダウン操作を行う際に、利用者の使い勝手のよいディスク再生装置を提供することである。すなわち、ディスクに記録された複数の曲の中から、トラックアップキー／トラックダウンキーを操作して所望の曲を探す場合に、キー操作回数をできるだけ少なくし、利用者の使い勝手のよいディスク再生装置を提供することである。
【００１１】
【課題を解決するための手段】
上記課題は、本発明によれば、曲の再生中に次の曲の先頭からの再生への移行を指示するトラックアップキーと、曲の再生中に該曲の再生開始時点から基準時間以内に操作された場合には前の曲の先頭位置からの再生への移行を指示し、前記基準時間を過ぎて操作された場合には該曲の先頭位置からの再生への移行を指示するトラックダウンキーとを備え、曲の再生中に前記トラックアップキーが操作された場合に次の曲の先頭位置からの再生へ移行し、前回のトラックアップキー操作またはトラックダウンキー操作から所定時間を過ぎた場合に前記基準時間を第１基準時間に設定し、前回のトラックアップキー操作またはトラックダウンキー操作から所定時間以内は前記基準時間を第２基準時間に設定し、曲の再生開始時点から前記設定された基準時間以内にトラックダウンキーが操作された場合には前の曲の先頭位置からの再生へ移行し、前記設定された基準時間を過ぎて操作された場合には該曲の先頭位置からの再生へ移行することにより達成される。
【００１２】
また、上記課題は本発明によれば、前記第２基準時間は、前記第１基準時間より大きいことにより達成される。
【００１３】
また、上記課題は本発明によれば、一曲目の再生中において、一曲目の再生開始時点から前記設定された基準時間以内にトラックダウンキーが操作された場合には、最終曲の先頭位置からの再生へ移行することにより達成することができる。
【００１４】
【発明の実施の形態】
（ａ）概要説明
図１は、本発明のディスク再生装置におけるトラックダウン操作時の動作の概要を説明する図である。
図１（ａ）は、ディスクに記録された曲を再生中にトラックダウンキーを入力した際、第１の判断基準時間を設定された場合の再生位置の移動位置を説明する図であり、従来のトラックダウン操作と同様のものである。
【００１５】
あるトラック（曲）を再生している際に、利用者が操作部に設けられたトラックダウンキーを押す。トラック（曲）の先頭からの再生時間が第１の判断基準時間（１秒）より小さいときにトラックダウンキーが押された場合、現在の再生トラックの一つ前のトラックの先頭に再生位置を移動する。一方、トラック先頭からの再生時間が第１の判断基準時間（１秒）より大きいときにトラックダウンキーが押された場合には、現在の再生トラックの先頭に再生位置を移動する。
【００１６】
図１（ｂ）は、複数回連続でトラックアップ操作、または、トラックダウン操作を行った後に、所定時間内にトラックダウンキーを押下した時の動作の説明図である。
ディスクに収録されている複数の曲の中から所望の曲を探すために、利用者はトラックアップキーまたはトラックダウンキーを操作して、トラックナンバーを順次切り替えて所望の曲のナンバーまで順次切り替えて、そのトラックを再生させる。このとき、所望の曲のトラックナンバーと思っていたものを聴いてみて所望の曲ではないことが判明し、例えば、現在のトラックより前のトラックであることを思い出した場合、トラックダウンキーを押すことになる。複数回のトラックアップ操作、または、トラックダウン操作後は、図１（ｂ）に示すように、トラックダウンキーが押されたときに、そのトラックの先頭に移動するか、一つ前のトラックの先頭に移動するかの判断基準時間を第２の判断基準時間（５秒）にする。トラックダウンキーを押した時のトラック（曲）の先頭からの再生時間が第２の判断基準時間（５秒）より小さい場合、現在のトラックの一つ前のトラックの先頭に再生位置を移動し、トラックの先頭からの再生時間が第２の判断基準時間（５秒）より大きい場合には、現在のトラックの先頭に再生位置を移動する。
【００１７】
例えば、現在トラック１（曲１）を再生しているときに、トラックアップキー／トラックダウンキーを操作して所望の曲を選択する場合を考えて、従来の再生装置と、本発明の再生装置とを比較すると、図２に示すようになる。図２（ａ）は、従来のディスク再生装置の動作を示す図であり、図２（ｂ）は、本発明のディスク再生装置の動作を示す図である。
【００１８】
従来のディスク再生装置の場合、利用者は所望の曲のトラックナンバーが３曲目あたりであることしか憶えていないとき、トラックアップキーを２回押下して（図２（ａ）の▲１▼、▲２▼）、再生位置をトラック３の先頭に移動させる。トラック３の再生が始まり、再生音をしばらく聴いてみて、トラック３が所望の曲ではないことがわかり、また、所望の曲がこのトラックより一つ前のトラックであることを思い出して、トラックダウンキーを押下する（図２（ａ）の▲３▼）。この時、トラック３の再生時間が１秒を超えているため、トラック３の先頭に再生位置が戻り、トラック２に再生位置を戻すには、トラックダウンキーをもう一度押すことになる（図２（ａ）の▲４▼）。
【００１９】
同様に、トラック１を再生しているところから、所望の曲を探す場合の動作は、本発明のディスク再生装置では、図２（ｂ）に示すような動作となる。
トラック１（曲１）を再生しているときに、トラックアップキーを２回押下し（図２（ｂ）の▲１▼、▲２▼）、トラック３の先頭に再生位置を移動する。トラック３の再生音をしばらく聴いて、所望の曲ではないことが分かり、また、一つ前のトラックであることを思い出し、トラックダウンキーを押下する（図２（ｂ）の▲３▼）。この時、トラック３（曲３）の再生時間が５秒以内であるので、一つ前のトラック２の先頭に再生位置を移動する。
このように、所望の曲をトラックアップまたはトラックダウン操作で探す場合、本発明では、従来の４回のキー操作にくらべて１回少ない３回のキー操作で、所望の曲を探し出すことができる。
【００２０】
図３は、本発明のディスク再生装置の概略構成を示す図である。
同図において１はディスク、２はターンテーブル、３はディスクを一定の線速度で回転するスピンドルモータ、４はスピンドルモータに対し線速度一定制御を行うスピンドルサーボ回路、５はディスクにレーザビームを発射し反射ビームを検出する光ピックアップである。６は光ピックアップをディスク半径方向に送るスレッドモータ、７はスレッドモータに対しトラックを追跡するためのスレッドサーボをかけるスレッドサーボ回路、８はＲＦアンプ、９はＲＦ信号を入力して音楽データとサブコードデータの復調を行うディジタル信号処理回路である。
【００２１】
１０はフォーカスエラー信号ＦＥを作成し、該フォーカスエラー信号ＦＥに基づき光ピックアップ５に設けたフォーカスアクチュエータ（図示せず）を駆動しフォーカスサーボを掛けるフォーカスサーボ回路、１１はフォーカスエラー信号ＦＥを増幅してフォーカスアクチュエータを駆動するサーボドライバである。
【００２２】
１２はトラッキングエラー信号ＴＥを作成し、該トラッキングエラー信号ＴＥに基づき光ピックアップ５に設けたトラッキングアクチュエータ（図示せず）を駆動してトラッキングサーボを掛けるトラッキングサーボ回路、１３はトラッキングアクチュエータを駆動するサーボドライバである。
【００２３】
１４はＲＦ信号の下側エンベロープ検波を行う検波回路、１６は後述するシステムコントローラの指令を受けて、各種サーボの立ち上げとピックアップサーボ系の自動調整等を行うサーボコントローラ、１７はディスクの挿入を検出するディスク挿入検知器、１８はシステムコントローラの制御に従いディスク１をターンテーブル２の上にローディングしたり、ターンテーブル２からアンローディングしたりするローディング部、１９はディスクを再生するために必要なシステム全体的な制御を行うシステムコントローラ、２０はＴＯＣ情報等の記憶を行うＲＡＭ、２１は各種操作を行う操作部である。操作部２１には、トラックアップキー、トラックダウンキーが設けられており、利用者はトラックアップキー、トラックダウンキーを押下することにより、ディスクに記録されている複数のトラックを順次切り替えて再生トラックを選択することができる。
【００２４】
システムコントローラ１９は、電源投入時やディスクローディング後にＴＯＣ（Ｔａｂｌｅ  ｏｆ  Ｃｏｎｔｅｎｔｓ）を読み込み、曲再生中にはサブコードを読み込む。そして、読み込んだ各情報に基づいてサーボコントラオーラ１６に指示を与え、サーボコントローラ１６は、スピンドルサーボ回路４、光ピックアップ５、スレッドサーボ回路７、フォーカスサーボ回路１０、トラッキングサーボ回路１２等を制御して指示されたトラックの再生を行う。なお、ＴＯＣとは、ディスクの目次に相当するものであり、その内容としては、そのディスクの最初の曲と最後の曲のトラック番号（通常最初のトラック番号は「１」）と、そのディスクに入っている各曲の開始時間を示すタイムコードと、最後の曲の終了時間を示すタイムコードとが記録されている。また、サブコードとは、曲の頭出し機能や、予め設定された順序に従って曲を再生するプログラム機能等を実行する場合に利用されるコードである。このサブコードには曲のトラック番号、曲の演奏時間を示すタイムコードおよび各曲の演奏時間の累計を示すタイムコード等が記録されている。
【００２５】
図４は、本発明のディスク再生装置の、トラックアップ、トラックダウン動作を行う際の動作フローである。ここでは、ディスクに記録されている複数のトラックの内、あるトラックを再生しているものとする。
【００２６】
ディスク再生中、システムコントローラ１９は、利用者が操作部２１に設けられたトラックアップキーが押されたか否かを判断し（ステップＳ１０１）、トラックアップキーが押された場合、システムコントローラ１９は、サブコードをサーチして次のトラックの先頭位置を検出し、サーボコントローラ等を制御して次のトラックの先頭へ再生位置を移動する（ステップＳ１０２）。
【００２７】
ステップＳ１０１で、トラックアップキーが押されない場合、システムコントローラ１９は操作部２１に設けられたトラックダウンキーが押されたか否かを判断し（ステップＳ１０３）、トラックダウンキーが押されない場合には、ステップＳ１０１にもどり、トラックアップキーまたはトラックダウンキーが押されるのを待機する。
【００２８】
ステップＳ１０３で、トラックダウンキーが押された場合、システムコントローラ１９は、前回のトラックアップ操作またはトラックダウン操作がされてから所定時間（例えば８秒）経過したか否かを判断する（ステップＳ１０４）。
【００２９】
ステップ１０４で、前回のトラックアップ操作、または、前回のトラックダウン操作が行われてから、所定時間（８秒）経過している場合には、システムコントローラ１９は、現在の再生位置がトラック先頭から第１の判断基準時間（１秒）を経過しているか否かを判断する（ステップＳ１０５）。
【００３０】
ステップＳ１０４で、前回のトラックアップ操作、または、トラックダウン操作が行われてから、所定時間（８秒）経過していない場合には、システムコントローラ１９は、現在の再生位置がトラック先頭から第２の判断基準時間（５秒）を経過しているか否かを判断する（ステップＳ１０６）。
【００３１】
ステップＳ１０５で第１の判断基準時間内（１秒以内）である場合、または、ステップＳ１０６で第２の判断基準時間内（５秒以内）である場合、システムコントローラ１９はサブコードをサーチして現在再生中のトラックの一つ前のトラックの先頭位置を検出し、その位置へ再生位置を移動する（ステップＳ１０７）。
【００３２】
ステップＳ１０５で第１の判断基準時間以上である場合、または、ステップＳ１０６で第２の判断基準時間以上である場合、システムコントローラ１９はサブコードをサーチして現在再生中のトラックの先頭位置を検出し、現在再生中のトラックの先頭へ再生位置を移動する。その後、ステップＳ１０１にもどり、次のトラックアップキー操作、トラックダウンキー操作があるまで待機する。
【００３３】
以上のようにすれば、トラックアップ、トラックダウン操作により所望の曲を探す場合に、複数回のトラック切り替え操作後の所定時間内にトラックダウン操作を行った際に、前回のトラックアップ操作またはトラックダウン操作を行ってから所定時間内にトラックダウン操作を行う時間によって、現在のトラックの先頭に再生位置を戻すか、一つ前のトラックの先頭に戻すかを、トラック先頭からの再生時間の判断基準を切り替えることができ、所望の曲のトラックナンバーを明確に憶えていない場合のトラックアップ・トラックダウン操作による曲選択時の操作回数を少なくすることができる。
【００３４】
尚、上記実施例の説明においては、本発明を適用したＣＤプレーヤを例として説明したが、ＭＤプレーヤ等のトラックアップ、トラックダウンキーを操作することで、再生するトラックを選択するディスク再生装置であってもよい。
【００３５】
また、上記実施例の説明においては、トラックダウンキーが押された際の動作切り替え基準時間である第１判断基準時間を１秒、第２判断基準時間を５秒として説明したが、これらの時間はそれぞれ１秒、５秒でなく、他の時間でもよい。例えば第１判断基準時間を０．５秒、第２判断基準時間を１０秒としてもよい。
【００３６】
また、第１判断基準時間より第２判断基準時間を大きくすることが好ましい。第２判断基準時間は、曲を聴いてその曲が何であるかを判断できる程度の時間であればよく、第１判断基準時間は、連続でトラックアップ、トラックダウン操作を判断できる程度の時間であればよい。
【００３７】
また、ディスクの最初のトラックにおいて、トラックダウンキーが押された場合には、ディスクの最終トラックを一つ前のトラックとして、本発明を適用することも可能である。
【００３８】
以上、本発明を実施例により説明したが、本発明は請求の範囲に記載した本発明の主旨に従い種々の変形が可能であり、本発明はこれらを排除するものではない。
【００３９】
【発明の効果】
以上、本発明によれば、トラックダウンキーが押されたときに、現在のトラックの先頭へ再生位置を移動するのか、または、一つ前のトラックの先頭へ再生位置を移動するのかの動作を切り替える際の現在のトラック先頭からの再生時間の判断基準として、第１判断基準時間と、第２判断基準時間とを設け、前回のトラックアップ、または、トラックダウン操作から今回のトラックダウン操作までの時間に応じて前記判断基準時間を第１判断基準と第２判断基準とで切り替えるようにしたから、トラックアップ／ダウン操作によって再生トラックを選択する際に、所望の曲のトラック番号を明確に憶えていない場合にトラックダウン操作の回数を少なくすることができる。
【００４０】
つまり、トラック番号を明確に憶えていない曲をトラックアップ／トラックダウン操作によって所望の曲を選択しようとした場合に、あるトラックを再生して暫く再生音を聴いてから所望の曲はこの曲より前のトラックであると判明した場合に、トラックダウンキーを押して前のトラックへ再生位置を移動させる操作を１回少なくすることができる。
【００４１】
また、本発明によれば、第２判断基準時間を第１判断基準時間より大きくしたから、通常再生中のトラックダウンキー押下では、従来の操作と同じ操作で曲の頭出しを行うことができ、トラック番号を明確に憶えていない曲を探す場合には、再生音を聴いて判断してからトラックダウン操作を行っても、１回のトラックダウン操作で１つ前のトラックの先頭へ再生位置を移動することができ、便利である。
【００４２】
また、本発明によれば、ディスクの最初のトラックで先頭からの再生時間が前記判断基準より小さいときにトラックダウンキーが押されたら、最終トラックの先頭位置へ移動するようにしたから、トラックアップまたはトラックダウン操作によって所望の曲を選択する際に便利である。
【図面の簡単な説明】
【図１】本発明のディスク再生装置におけるトラックダウン操作時の動作の概要を説明する図である。
【図２】従来のディスク再生装置におけるトラックダウン動作と本発明のディスク再生装置におけるトラックダウン動作を示す図である。
【図３】本発明のディスク再生装置の概略構成を示す図である。
【図４】本発明のディスク再生装置のトラックアップ、トラックダウン動作を行う際の動作フローを示す図である。
【符号の説明】
１・・・ディスク
３・・・スピンドルモータ
４・・・スピンドルサーボ回路
５・・・光ピックアップ
１６・・・サーボコントローラ
１９・・・システムコントローラ
２１・・・操作部
【図１】
0003863395.tif 000002
【図２】
0003863395.tif 000003
【図３】
0003863395.tif 000004
【図４】
0003863395.tif 000005